(57)【要約】【課題】  用意された多数のカラーサンプルデータから、顧客が望むイメージ色を短時間に効率よく抽出することのできる眼鏡レンズ色選択装置を提供する。【解決手段】  眼鏡レンズ用のカラーサンプルデータを複数記憶する記憶手段と、顧客が望むレンズ色をＳＤ法を用いて求めるためのレンズ色決定手段と、レンズ色決定手段により決定されたレンズ色に基づいて記憶手段に記憶されているカラーサンプルデータからカラーサンプルデータを抽出するカラーサンプルデータ抽出手段と、カラーサンプルデータ抽出手段にて抽出されたカラーサンプルデータを表示する表示手段と、を備える。【選択図】      図１
2006017791.tif 000002
【特許請求の範囲】
【請求項１】
眼鏡レンズ用のカラーサンプルデータを複数記憶する記憶手段と、顧客が望むレンズ色をＳＤ法を用いて求めるためのレンズ色決定手段と、該レンズ色決定手段により決定されたレンズ色に基づいて前記記憶手段に記憶されているカラーサンプルデータからカラーサンプルデータを抽出するカラーサンプルデータ抽出手段と、該カラーサンプルデータ抽出手段にて抽出された前記カラーサンプルデータを表示する表示手段と、を備えることを特徴とする眼鏡レンズ色選択装置。
【請求項２】
請求項１の眼鏡レンズ色選択装置において、前記レンズ色決定手段は所望するレンズ色に対する心象表現をＳＤ法を用いることにより対極的意味を持つ形容詞の対によって規定される一定の尺度に基づいて定量化することを特徴とする眼鏡レンズ色選択装置。
【請求項３】
請求項２の眼鏡レンズ色選択装置において、前記定量化は対極的意味を持つ形容詞の対によって規定される一定の尺度を色データに対応させることによって行うことを特徴とする眼鏡レンズ色選択装置。
【請求項４】
請求項３の眼鏡レンズ色選択装置において、前記カラーサンプルデータ抽出手段は前記決定されたレンズ色に基づいて複数のカラーサンプルデータを抽出することを特徴とする眼鏡レンズ色選択装置。
【発明の詳細な説明】
【技術分野】
【０００１】
本発明は、眼鏡レンズの色を選択するための眼鏡レンズ色選択装置に関する。
【背景技術】
【０００２】
従来、眼鏡店舗等において、顧客が眼鏡レンズの色を選択するときには、眼鏡店舗に予め用意されたカラーサンプルレンズを顧客に実際に見せながら選択する方法が知られている。また、パソコン等に予め多数のカラーサンプルデータを登録しておき、このカラーサンプルデータから顧客が望むカラーサンプルを選択する方法が知られている。このようなパソコン等を用いて眼鏡レンズのカラーサンプルを選択する方法としては、眼鏡レンズ色に期待する心象を複数の語句の情報として取得しておき、取得した心象表現の語句と対応する各色相・明度・彩度や、その他、年齢別嗜好色、地域別嗜好色等を考慮して、顧客の要望するレンズ色を提案するものが知られている（特許文献１参照）。
【特許文献１】特開平７−１２１５８１号公報
【発明の開示】
【発明が解決しようとする課題】
【０００３】
しかしながら、前述したような心象表現の語句を用いて眼鏡レンズ色を選択する方法では、多数登録されているカラーサンプルデータから顧客が望んでいると思われるレンズ色を複数選択できる反面、心象表現の程度を考慮したレンズ色の選択は行われていない。したがって、顧客が望むレンズ色を適切に提案することは難しい。
上記従来技術の問題点に鑑み、用意された多数のカラーサンプルデータから、顧客が望むイメージ色を短時間に効率よく抽出することのできる眼鏡レンズ色選択装置を提供することを技術課題とする。
【課題を解決するための手段】
【０００４】
上記課題を解決するために、本発明は以下のような構成を備えることを特徴とする。
（１）  眼鏡レンズ用のカラーサンプルデータを複数記憶する記憶手段と、顧客が望むレンズ色をＳＤ法を用いて求めるためのレンズ色決定手段と、該レンズ色決定手段により決定されたレンズ色に基づいて前記記憶手段に記憶されているカラーサンプルデータからカラーサンプルデータを抽出するカラーサンプルデータ抽出手段と、該カラーサンプルデータ抽出手段にて抽出された前記カラーサンプルデータを表示する表示手段と、を備えることを特徴とする。
（２）  （１）の眼鏡レンズ色選択装置において、前記レンズ色決定手段は所望するレンズ色に対する心象表現をＳＤ法を用いることにより対極的意味を持つ形容詞の対によって規定される一定の尺度に基づいて定量化することを特徴とする。
（３）  （２）の眼鏡レンズ色選択装置において、前記定量化は対極的意味を持つ形容詞の対によって規定される一定の尺度を色データに対応させることによって行うことを特徴とする。
（４）  （３）の眼鏡レンズ色選択装置において、前記カラーサンプルデータ抽出手段は前記決定されたレンズ色に基づいて複数のカラーサンプルデータを抽出することを特徴とする。
【発明の効果】
【０００５】
本発明は、用意された多数のカラーサンプルデータから、顧客が望むイメージ色を短時間に効率よく抽出することができる。
【発明を実施するための最良の形態】
【０００６】
以下、本発明の実施形態を図面に基づいて説明する。図１は本発明に係る眼鏡レンズ色選択装置の外観略図であり、図２は眼鏡レンズ色選択装置の制御系を示すブロック図である。なお、本実施形態の眼鏡レンズ色選択装置は、眼鏡フレームを選択するための機能を有している。
【０００７】
眼鏡レンズ色選択装置１は、ＣＣＤ等の撮像素子及び撮像レンズを持つテレビカメラ部２と、テレビカメラ部２の撮像レンズの前側に配置された透過性を有する透過ミラー３と、テレビカメラ部２により撮像された画像を表示するカラーの液晶モニタ４と、テレビカメラ部２及び液晶モニタ４の画面表示を制御する制御ユニット５と、制御ユニット５に撮像の指令信号等を赤外信号に変えて送信するリモコン６と、リモコン６からの赤外信号を受信する受光ユニット７と、マウス１０とを備える。
テレビカメラ部２は、液晶モニタ４の上部の左右中央に位置するように、液晶モニタ４の背後から伸びる支柱９に取り付けられている。また、テレビカメラ部２が持つ撮像レンズと透過ミラー３の間には、撮影時における眼鏡フレームに取り付けられているレンズの反射光を除去するための偏光フィルタ８が設けられている。また、制御ユニット５は、キーボードを備える市販のパーソナルコンピュータが使用できる。
【０００８】
図２に示す２０は、制御ユニット５内に設けられるＣＰＵ等からなる制御部であり、装置１の駆動制御や各種の演算処理を行う役目を果たす。２１は画像処理部であり、後述するフレーム形状の決定や各種の画像処理等に用いられる。２２はメモリであり、装置１を駆動させるためのプログラムや、多数のカラーレンズデータ、顧客を撮影したときの撮影データ（顔面画像）等を記憶する。
【０００９】
このような構成を備える装置１を使用するときは、まず、被撮像者である顧客Ｋは、店内にある複数の眼鏡フレームから気に入った眼鏡フレームＦを選び装用した後、透過ミラー３に自分の顔が映るように位置する。これにより、顧客Ｋの顔はテレビカメラ部２の撮像光路に置かれると共に、液晶モニタ４の画面も顧客の顔前に位置することになる。透過ミラー３は、顧客Ｋがテレビカメラ部２を意識しなくてよいという特徴を持つと共に、目線をテレビカメラ部２に向けさせる役目も果たす。
顧客Ｋは透過ミラー３に映された顔の位置が適切になったら、リモコン６に配置された撮像ボタンを押す。制御ユニット５の制御部２０は、リモコン６からの画像取り込みの指令信号が受光ユニット７を介して入力されると、カメラ部２により撮像された画像を静止画像としてメモリ２２に記憶させる。
【００１０】
制御部２０は、メモリ２２への撮像画像の記憶ができると、モニタ４の表示を切換え、記憶した眼鏡フレームＦを装用した顔面画像を表示する。顧客Ｋが装用した眼鏡フレームＦを幾つか取り替え、同じようにして撮像を繰り返すことにより、メモリ２２には複数の画像が記憶される。メモリ２２に記憶された複数の静止画像は、リモコン６又はマウス１０等を操作することにより、モニタ４に選択的に呼び出される。また、モニタ４には呼び出した画像を一つの画面に分割表示することも可能である。顧客Ｋは、種々の眼鏡フレームＦを装用した顔の静止画像をモニタ４の画面にて見比べることができるので、眼鏡フレームＦの選別をスムーズに行うことができる。次に、操作者は眼鏡フレームＦの選別後、その眼鏡フレームＦに対して着色されたレンズが取り付けられた状態を顧客Ｋに見せるために、モニタ４に選別した眼鏡フレームＦを装用した顔面画像を呼び出しておき、眼鏡フレームＦのレンズ枠の形状（玉型形状）を決定させる。
【００１１】
図３は選別した眼鏡フレームを装用した顧客Ｋの顔面画像をモニタ４に呼び出した状態を示した図である。モニタ４の画面に顧客Ｋの顔面画像を呼び出した後、画面上に表示されているカーソル１００をマウス１０を操作して移動させ、眼鏡フレームＦにおけるレンズ枠を決定する部分の一点を指定点１００ａとしてカーソル１００により指定する。なお、カーソル１００の位置指定は、マウス１０のクリック操作により行われる。眼鏡フレームＦ上の任意の指定点１００ａがカーソル１００によって指定されると、図２に示した画像処理部２１は、指定点１００ａに対応する画素上の色データを検出し、その色データを基にしてモニタ４の画面に表示されている画像から同色の色データを抽出することにより、モニタ４の画面に表示されている画像を自動領域分割し、玉型形状を決定する。なお、本実施形態では、上述したように眼鏡フレームＦの玉型形状を画像処理によって抽出、決定するものとしているが、これに限るものではなく、マウス１００のクリック操作により眼鏡フレームの玉型形状の外周に沿って指定点を複数置き、これを繋げることによって玉型形状を決定することもできる。このようにして決定した玉型形状の内部領域が、後述するレンズ色選択画面における着色領域となる。
【００１２】
また、玉型形状の決定は、予め用意されている複数の玉型形状のテンプレートを画面に表示させておき、この用意されている複数の玉型形状のテンプレートから所望する玉型形状を選択する。さらに、その形状の大きさをフレームのレンズ枠に合わせるように拡大・縮小させることにより、玉型形状及びその着色領域を決定することもできる。
着色領域が決定されると、操作者は、図３に示す画面上に表示されている決定ボタン１０１をカーソル１００を用いて選択し、次の行程であるレンズ色の選択に移る。
【００１３】
図４は、図３に示す決定ボタン１０１を選択した後のモニタ４の画面表示を示したものであり、顧客Ｋが望む眼鏡レンズ色を心理分析により求めるための設定画面を示している。なお、本実施形態では、心理分析にＳＤ法（Semantic Differential法）を適用し、顧客がイメージするレンズ色を求めるものとしている。ＳＤ法は、ある概念に人が付与する意味を、対極的意味を持つ形容詞の対によって規定される一定の尺度によって評価、測定する方法である。本実施形態では、このＳＤ法を利用し、顧客自身が潜在的に求めているレンズ色に対する心象表現を、対極的意味を持つ形容詞の対によって規定される一定の尺度によって定量化し、その結果に基づいて、望んでいるレンズ色を抽出しようとするものである。
【００１４】
具体的には、図４に示すように、対極的意味を持つ形容詞対（例えば、「明るい」と「暗い」等）を両端におき、両端におかれる形容詞対の間を、「非常に」「やや」「どちらでもない」とした尺度を用いて、５つに区分けする。なお、図４に示す選択画面では、対極的意味を持つ形容詞の対によって表される心象表現の項目を、３０個用意するものとしている（図４では６項目のみ示している）。なお、図４に示されている６項目以降の項目については、スクロールバー３０を使用して、画面をスクロールさせることにより、画面上に順次表示される。また、図４に示すように、各項目に対する心象表現の程度は、各尺度（非常に、やや、どちらでもない）の下部に形成されているラジオボタン３１をカーソル１００にて選択することにより、決定させることができる。なお、本実施形態では心象表現の程度を５つに区分けするものとしているが、これに限るものではなく、心象表現の程度を決定できるものであればよい。例えば、ラジオボタンの替わりにスクロールバー等を用いて、心象表現の程度を連続可変とすることもできる。
このように、モニタ４の画面に表示される各心象表現の項目に対して、その心象表現の程度をカーソル１００により選択（決定）していく。図４に示す選択画面における全ての項目への入力終了後、選択画面に形成されている決定ボタン３２をカーソル１００を用いて選択する。
【００１５】
決定ボタン３２が使用されると、制御部２０は、選択画面の各心象表現の項目における各選択内容に基づいて演算処理を行い、選択した各心象表現の程度を全て考慮した色データを決定する。さらに、制御部２０は、メモリ２２に記憶してあるカラーレンズデータから、決定した色データに近い色を有するカラーレンズデータを複数抽出する。
なお、図４に示した選択画面の各心象表現の項目における各程度毎に対して、対応する色データが少なくとも１種類は設定されている。なお、各心象表現の程度に対して対応付けられる色データは、公知となっているカラーイメージスケールの情報等に基づいて決定される。また、各項目の程度毎に設定される色データは、例えば、マンセル表色系、Ｌ*ａ*ｂ*表色系、Ｌ*ｃ*ｈ*表色系、ＸＹＺ（Ｙｘｙ）表色系やＲＧＢ表色系等、色相、明度、彩度等を数値化して表すことのできる色データを持ちいる。
【００１６】
制御部２０は、心象表現の各項目にて選択された心象表現の程度に基づいて、対応する色データを抽出するとともに、抽出した全色データを平均化して一つの色データを決定する。制御部２０は、メモリ２２に記憶されているカラーレンズデータと、先に決定した色データとを比較し、カラーレンズデータを決定した色データに近いものから順に並べる。さらに制御部２０は、順に並べられたカラーレンズデータから、その上位に位置する複数のカラーレンズデータを抽出する。制御部２０は抽出した複数のカラーレンズデータを顧客が望むレンズ色サンプルとして、モニタ４の表示画面に並列表示させる。なお、本実施形態では、心象表現の各項目にて選択された心象表現の程度に基づいて、対応する色データを抽出し、さらに抽出した全色データを平均化して一つの色データを決定するものとしているが、これに限るものではなく、ＳＤ法を用いて選択された複数の心象表現の程度に対応した複数の色データに基づいて、メモリ２２に記憶されているカラーレンズデータを複数抽出できればよい。例えば、選択された複数の心象表現の程度に対応した複数の色データを単に平均化するのではなく、抽出した色データを所定のアルゴリズムに基づいて演算処理し、一つの色データを求めたり、心象表現の項目に対して各々重み付けを行い、この重み付けを考慮して抽出された色データから一つの色データを求めることもできる。また、心象表現の各項目をそれぞれ色相用、明度用、彩度用に分けて、顧客が望む色相、明度、彩度を個別に求めておき、最終的にこれらの情報を統合して一つの色データを求めることもできる。さらには、心象表現の程度に対応させる色データをメモリ２２に記憶させてあるカラーレンズデータとすることもできる。
【００１７】
図５は、抽出したカラーレンズデータに基づいたレンズ色サンプルを表示するレンズ色選択画面の一例を示した図である。
レンズ色選択画面では、図５の紙面向かって左側半分に顧客Ｋの顔面画像を表示する画面、右側半分には、ＳＤ法を用いて抽出した複数のレンズ色サンプル４０が表示される。なお、レンズ色選択画面に表示するレンズ色サンプル４０には、全面染色されたレンズ色サンプルのほか、抽出したカラーレンズデータを用いてグラデーション染色を施したレンズ色サンプルも含まれる。
【００１８】
各レンズメーカにて提供されているレンズ色サンプルは、総計して数十から数百にも及ぶため、これらのレンズ色を全て提示し、顧客が望むレンズ色を決定することは、時間がかかり効率が悪い。しかしながら、前述したようにＳＤ法を用いてレンズ色を抽出することにより、顧客が望むレンズ色を事前にある程度絞り込むことができるため、効率よくレンズ色を決定することが可能となる。
【００１９】
このレンズ色選択画面に表示されるレンズ色サンプル４０は、すでに顧客Ｋの望む色が表示されており、操作者は、顧客Ｋの最終的な要望を聞きながら、カーソル１００を用いてレンズ色表示画面から所望するレンズ色を持ったレンズ色サンプル４０を選択する。色サンプル４０が選択されると、図２に示した画像処理部２１は、そのレンズ色サンプルのカラーレンズデータを用いて、前述したレンズ枠の内側領域である玉型領域に着色を施して顔面画像を表示させる。画像処理部２１による玉型領域への着色は、内部に表示されている顧客Ｋの眼や肌の色とレンズ色とを合成した状態で行われる。違う色を選択したい場合には、カーソル１００を用いて異なる色サンプルを選択すればよい。このように眼鏡フレームＦのレンズ枠内に着色が施された状態で顔面画像が表示されるため、顧客Ｋは撮影した複数の眼鏡フレームＦと種々の色サンプルとの組み合わせを簡単に確認することができる。レンズ色サンプルを選択することにより、着色された眼鏡フレームＦを装用した顔面画像は、画面に形成されている決定ボタン４１を選択することにより、図示なきカラープリンタ等の出力手段により、出力される。
なお、本実施形態では、眼鏡フレームを選択するための機能を有した眼鏡レンズ色選択装置を例に挙げて説明したが、単にレンズ色のみを選択する機能を有した眼鏡レンズ色選択装置であってもよい。
【図面の簡単な説明】
【００２０】
【図１】本実施形態における眼鏡レンズ色選択装置を外観を示した図である。
【図２】本実施形態における眼鏡レンズ色選択装置の制御系を示したブロック図である。
【図３】眼鏡フレームを装用した顧客の顔面画像をモニタに呼び出した状態を示した図である。
【図４】心理分析により眼鏡レンズ色を求めるための設定画面を示した図である。
【図５】抽出したカラーレンズデータに基づいたレンズ色サンプルを表示する画面を示した図である。
【符号の説明】
【００２１】
１  眼鏡レンズ色選択装置
２  テレビカメラ部
４  液晶モニタ
５  制御ユニット
６  リモコン
７  受光ユニット
１０  マウス
２０  制御部
【図１】
2006017791.tif 000003
【図２】
2006017791.tif 000004
【図３】
2006017791.tif 000005
【図４】
2006017791.tif 000006
【図５】
2006017791.tif 000007